(57)【要約】【課題】植栽管理の手間を低減することが可能な折板屋根緑化構造を提供すること。【解決手段】本発明の折板屋根緑化構造１０は、谷部１ａと山部１ｂとが交互に複数連設してなる折板屋根１上に設けられる折板屋根緑化構造であって、折板屋根１の谷部１ａに沿って設けられ該谷部１ａを覆う谷部２ａと、折板屋根１の山部１ｂに沿って設けられ該山部１ｂを覆う山部２ｂを有する繊維強化プラスチック製の下部成形板２と、下部成形板２の谷部２ａ内に設けられた培地Ｂと、下部成形板２上で培地Ｂを覆うように設けられており、複数の孔３ｃを有する繊維強化プラスチック製の上部成形板３と、を備えることを特徴とする。【選択図】図１
2010193853.tif 000002
【特許請求の範囲】
【請求項１】
山部と谷部とが交互に複数連設してなる折板屋根上に設けられる折板屋根緑化構造であって、
前記折板屋根の前記谷部に沿って設けられ該谷部を覆う谷部と、前記折板屋根の前記山部に沿って設けられ該山部を覆う山部とを有する繊維強化プラスチック製の下部成形板と、
前記下部成形板の前記谷部内に設けられた培地と、
前記下部成形板上で前記培地を覆うように設けられており、複数の孔を有する繊維強化プラスチック製の上部成形板と、
を備える折板屋根緑化構造。
【請求項２】
前記複数の孔は、前記上部成形板における前記下部成形板の前記山部と対向する領域以外に設けられている請求項１に記載の折板屋根緑化構造。
【請求項３】
前記下部成形板は、前記山部と前記谷部とが交互に複数連設して一体成形されており、前記上部成形板は、前記下部成形板の複数の前記山部と前記谷部とを一体に覆うように設けられている請求項１または２に記載の折板屋根緑化構造。
【請求項４】
前記上部成形板は、前記下部成形板の前記谷部上に設けられた前記培地に沿って設けられ該培地を覆う谷部と、前記下部成形板の前記山部に沿って設けられ該山部を覆う山部とを有する請求項１〜３のいずれか一項に記載の折板屋根緑化構造。
【発明の詳細な説明】
【技術分野】
【０００１】
本発明は、折板屋根緑化構造に関するものである。
【背景技術】
【０００２】
従来から、屋上や屋根などの緑化構造について、様々な提案がなされている。緑化構造の一つとして、折板屋根の谷部内に培地を設置して緑化を行うものが知られている（例えば、特許文献１参照）。特許文献１には、折板屋根の谷部と培地との間に耐根シートを敷くことにより、植物の根が折板屋根へ侵入することを防ぐ旨が開示されている。
【先行技術文献】
【特許文献】
【０００３】
【特許文献１】特開２００４−８９０９０号公報
【発明の概要】
【発明が解決しようとする課題】
【０００４】
しかしながら、特許文献１に記載の緑化構造では、折板屋根の谷部内に設けられた培地は、外部環境に剥き出しの状態であるため、直射日光、霜、風などに曝される恐れや雑草種子が飛来してくる恐れがあった。また、培地が劣化し、風化して飛散することなどが懸念されていた。従って、日よけ、灌水、除雪、除草などの植栽管理に手間がかかるといった問題があった。
【０００５】
本発明は、上記事情に鑑みてなされたものであり、植栽管理の手間を低減することが可能な折板屋根緑化構造を提供することを課題とする。
【課題を解決するための手段】
【０００６】
上述の課題を解決するため、本発明の折板屋根緑化構造は、山部と谷部とが交互に複数連設してなる折板屋根上に設けられる折板屋根緑化構造であって、折板屋根の谷部に沿って設けられ該谷部を覆う谷部と、折板屋根の山部に沿って設けられ該山部を覆う山部とを有する繊維強化プラスチック製の下部成形板と、下部成形板の該谷部内に設けられた培地と、下部成形板上で培地を覆うように設けられており、複数の孔を有する繊維強化プラスチック製の上部成形板と、を備えることを特徴とする。
【０００７】
本発明の折板屋根緑化構造では、折板屋根上に設けられる下部成形板が、繊維強化プラスチック製である。このため、下部成形板の谷部内に設けられる培地などによる圧力に対する耐性を向上することが可能となる。また、複数の孔を有する上部成形板が、下部成形板上で培地を覆うように設けられていることにより、培地が外部環境に剥き出しの状態となることを抑制できる。よって、培地が直射日光、霜、風などに曝される恐れ、雑草種子の飛来の恐れ、培地が劣化して風化し飛散する恐れなどが少なくなる。従って、植栽管理の手間を低減することが可能となる。また、上部成形板も繊維強化プラスチック製であるため、折板屋根緑化構造における耐圧特性をより向上することが可能となる。
【０００８】
また、複数の孔は、上部成形板における下部成形板の山部と対向する領域以外に設けられていることが好ましい。これにより、培地に設けられる植物が、上部成形板の孔を通って生育することができる。そして、上部成形板の培地と対向しない領域には孔を設けないことにより、培地に設けられる植物の生育を妨げることなく、上部成形板の強度の低下を抑制することができる。
【０００９】
また、下部成形板は、山部と谷部とが交互に複数連設して一体成形されてなり、上部成形板は、下部成形板の複数の山部と谷部とを一体に覆うように設けられていることが好ましい。これにより、一連の下部成形板及び上部成形板を、山部と谷部とが交互に複数連設してなる折板屋根上に容易に設置することができる。
【００１０】
また、上部成形板は、下部成形板の谷部上の培地に沿って設けられ該培地を覆う谷部と、下部成形板の山部に沿って設けられ該山部を覆う山部とを有することが好ましい。このように、上部成形板が谷部と山部とを有することにより、上部成形板の耐屈曲強度を向上することができる。また、上部成形板を下部成形板上に設置する際の位置決めを容易に行うことができる。また、上部成形板の谷部と培地との間の空間が減ることにより、培地に含まれる水の蒸散が抑制できる。
【発明の効果】
【００１１】
本発明によれば、植栽管理の手間を低減することが可能な折板屋根緑化構造を提供することができる。
【図面の簡単な説明】
【００１２】
【図１】本発明の実施形態に係る折板屋根緑化構造を示す斜視図である。
【図２】図１におけるII−II線に沿った断面図である。
【図３】（ａ）上部成形板の谷部において、孔がＸ方向に２列に配列された状態を示す上面図である。（ｂ）上部成形板の谷部において、孔が千鳥状に配列された状態を示す上面図である。
【図４】（ａ）本発明の実施形態に係る折板屋根緑化構造の変形例を示す断面図である。（ｂ）本発明の実施形態に係る折板屋根緑化構造の変形例を示す断面図である。
【発明を実施するための形態】
【００１３】
以下、添付図面を参照しながら本発明の実施形態を詳細に説明する。なお、図面の説明において、同一の要素には同一の符号を付し、重複する説明を省略する。
【００１４】
図１は、本発明の実施形態に係る折板屋根緑化構造１０を示す斜視図である。図２は、図１におけるII−II線に沿った断面図である。なお、互いに直角をなすようにＸ軸及びＹ軸を設定し、ＸＹ面に鉛直な方向にＺ軸を定めて３次元直交座標系を設定し、以下必要な場合にＸＹＺ座標系を用いて説明する。
【００１５】
図１に示すように、折板屋根緑化構造１０は、折板屋根１上に設けられる下部成形板２と、下部成形板２上に設けられた上部成形板３とを備えている。
【００１６】
折板屋根１は、断面凹凸型の屋根である。折板屋根１は、例えば、工場や駅舎などの屋根として採用されているものである。折板屋根１の素材としては、特に限定されず、例えば、化粧剛板、トタン、スレートなどが挙げられる。図１に示すように、折板屋根１は、Ｘ軸方向に谷部１ａと山部１ｂとが交互に複数連設してなる。折板屋根１の谷部１ａ及び山部１ｂの長手方向は、それぞれＹ軸方向に延びて配置されている。折板屋根１の山部１ｂは、Ｚ軸方向に張り出されている。
【００１７】
下部成形板２は、断面凹凸型の成形板であり、少なくとも１以上の谷部２ａと山部２ｂとを有している。図１に示す例では、下部成形板２は、谷部２ａと山部２ｂとが交互に複数連設して一体成形されてなる。谷部２ａは、折板屋根１の谷部１ａに沿って設けられ該谷部１ａを覆っている。山部２ｂは、折板屋根１の山部１ｂに沿って設けられ該山部１ｂを覆っている。好ましくは、下部成形板２は、折板屋根１の凹凸形状と同様の凹凸形状を有している。
【００１８】
図２に示すように、下部成形板２における隣り合う山部２ｂ同士は、折板屋根１のサイズに応じて、所定の間隔Ｄ１（例えば、２００ｍｍ〜５００ｍｍ）を置いて配置されている。また、下部成形板２の谷部２ａの底部の幅Ｄ２は、３０ｍｍ〜４５０ｍｍであり、好ましくは、１５０ｍｍ〜３００ｍｍである。また、下部成形板２は所定の厚さＴ１（例えば、１ｍｍ〜２ｍｍ、好ましくは、１．２ｍｍまたは１．５ｍｍ）を有している。
【００１９】
下部成形板２は、繊維強化樹脂（Fiber Reinforced Plastics：ＦＲＰ）製である。ＦＲＰは、ガラス繊維や炭素繊維などの繊維と、樹脂との複合材料である。ＦＲＰは、軽量であり、衝撃や曲げに強い特長を有する。また、ＦＲＰは、様々な形状の製作に対応でき、着色が自由である。下部成形板２のＦＲＰに用いられる樹脂材料として、例えば、不飽和ポリエステル樹脂、エポキシ−（メタ）アクリレート樹脂、ウレタン−（メタ）アクリレート樹脂、（メタ）アクリレート樹脂などが挙げられる。これらの樹脂は、ＦＲＰとして好適な材料であり、下部成形板２に良好な耐圧特性、断熱特性などを持たせることができる。
【００２０】
下部成形板２の谷部２ａ内には、培地Ｂが設けられている。培地Ｂとして、例えば、土、ロックウール成形板、ロックウール粒状綿、グラスウール成形板、尿素樹脂成形板などが挙げられる。培地Ｂの厚さは、下部成形板２の谷部２ａの形状や植栽する植物Ｐなどにより適宜選択されるが、例えば、１０ｍｍ〜１００ｍｍである。培地Ｂに植栽する植物Ｐは特に限定されないが、例えば、ヘデラなどのツタ植物、花卉類、苔、芝などが挙げられる。植栽管理の観点から、植物Ｐとして、ツタ植物が好ましい。
【００２１】
上部成形板３は、断面凹凸型の成形板であり、少なくとも１以上の谷部３ａと山部３ｂとを有している。上部成形板３の谷部３ａは、なだらかに培地Ｂに向かって窪んだ形状を有している。図１に示す例では、上部成形板３は、谷部３ａと山部３ｂとが交互に複数連設して一体成形してなる。谷部３ａは培地Ｂを覆い、山部３ｂは山部２ｂを覆っている。よって、上部成形板３は、下部成形板２の複数の山部２ｂと谷部２ａとを一体に覆っている。図２に示すように、谷部３ａの底部と培地Ｂの上面との距離Ｈは、植物Ｐに合わせて調整されるが、培地Ｂや植物Ｐの手入れの観点や、培地Ｂに含まれる水の蒸散を防ぐ観点から、好ましくは、０〜２０ｍｍである。
【００２２】
図２に示すように、上部成形板３における隣り合う山部３ｂ同士は、所定の間隔Ｄ１（例えば、２００ｍｍ〜５００ｍｍ）を置いて配置されている。また、上部成形板３は所定の厚さＴ２（例えば、１ｍｍ〜２ｍｍ、好ましくは、１．２ｍｍまたは１．５ｍｍ）を有する。
【００２３】
上部成形板３は、複数の孔３ｃを有している。この孔３ｃから種を蒔くことができる。また、予め育苗ポットなどにより育てた苗を、孔３ｃを介して、培地Ｂへ植え付けることもできる。そして、培地Ｂに植栽された植物Ｐは、孔３ｃを通って成育することができる。図１では、上部成形板３の谷部３ａにおいて、孔３ｃは、互い違いに（千鳥状に）Ｘ方向に３列に配置されている。孔３ｃの形状は、特に限定されないが、好ましくは正方形、長方形であり、より好ましくは円形である。植栽管理の手間を低減する観点から、孔３ｃが正方形または長方形の場合には、一辺３０ｍｍ〜１００ｍｍが好ましく、孔３ｃが円形の場合には、直径３０ｍｍ〜１００ｍｍが好ましい。
【００２４】
上部成形板３の谷部３ａにおける複数の孔３ｃの総面積よりも、当該谷部３ａの孔３ｃ以外の部分の面積の方が大きいことが好ましい。これにより、培地Ｂに含まれる水の蒸散を低減することが可能となる。また、複数の孔３ｃは、上部成形板３における下部成形板２の山部２ｂと対向する領域以外に設けられていることが好ましい。これにより、培地Ｂに設けられる植物Ｐが、上部成形板３の孔３ｃを通って生育することができる。そして、上部成形板３の培地Ｂと対向しない領域には孔３ｃを設けないことにより、培地Ｂに設けられる植物Ｐの生育を妨げることなく、上部成形板３の強度の低下を抑制することができる。
【００２５】
上部成形板３は、ＦＲＰ製である。上部成形板３のＦＲＰに用いられる樹脂材料として、例えば、不飽和ポリエステル樹脂、エポキシ−（メタ）アクリレート樹脂、ウレタン−（メタ）アクリレート樹脂、（メタ）アクリレート樹脂などが挙げられる。これらの樹脂は、ＦＲＰとして好適な材料であり、上部成形板３に良好な耐圧特性や断熱特性などを持たせることができる。
【００２６】
上部成形板３は、耐候性を有する保護膜を有することが好ましい。例えば、保護膜として、アクリル−ウレタン共重合樹脂が挙げられる。または、上部成形板３を構成する樹脂材料に紫外線吸収剤を含ませて、耐候性を与えてもよい。
【００２７】
図１に示すように、折板屋根１の山部１ｂ、下部成形板２の山部２ｂ、及び上部成形板３の山部３ｂにおいて、ビス留めなどの固定具４によって、折板屋根１、下部成形板２、及び上部成形板３を固定してもよい。
【００２８】
図２に示すように、折板屋根１の谷部１ａ上に重なるように、下部成形板２の谷部２ａが設けられており、下部成形板２の谷部２ａ上に重なるように、上部成形板３の谷部３ａが設けられている。また、折板屋根１の山部１ｂ上に重なるように、下部成形板２の山部２ｂが設けられている。また、下部成形板２の山部２ｂに重なるように、上部成形板３の山部３ｂが設けられている。
【００２９】
折板屋根緑化構造１０における、下部成形板２、培地Ｂ、及び上部成形板３の具体的組み合わせを以下に示す。例えば、下部成形板２には、不飽和ポリエステル樹脂からなり、山部２ｂ間隔Ｄ１が２００ｍｍ、谷部２ａの底部の幅Ｄ２が３５ｍｍ、厚さ１．２ｍｍの成形版を用いる。また、培地Ｂとして、厚さ１００ｍｍのロックウール成形板を用いる。また、上部成形板３として、不飽和ポリエステル樹脂からなり、山部３ｂ間隔Ｄ１が２００ｍｍ、厚さ１．２ｍｍの成形板に、耐候性の保護層であるアクリル−ウレタン共重合樹脂を塗布したものを用いる。
【００３０】
以上のような折板屋根緑化構造１０によれば、下部成形板２がＦＲＰから構成されていることによって、下部成形板上に設けられる培地などによる圧力に対する耐性を向上することができる。また、植物Ｐの成長により根が折板屋根の継ぎ目から建物内に侵入することや、金属などからなる折板屋根１の腐食を抑制することができる。また、上部成形板３が下部成形板２上に設けられていることによって、谷部２ａ内の培地Ｂに蓋をしている状態となるため、培地Ｂが外部環境に曝される部分を低減することができる。これにより、例えば、培地Ｂは直射日光に晒される恐れがなくなり、培地Ｂに含まれる水の蒸散を低減することが可能となる。また、培地Ｂが霜、風などに曝される恐れや、雑草種子の飛来などの恐れが低減される。また、培地が劣化し、風化して飛散することも抑制できる。従って、灌水、除雪、除草などの植栽管理の手間を低減することができる。さらに、上部成形板３もＦＲＰから構成されていることによって、耐圧特性をより良好にすることが可能となる。
【００３１】
以上、本発明の好適な実施形態について詳細に説明したが、本発明は上記実施形態に限定されるものではない。例えば、孔３ｃの配置は、図１に示したものに限られない。例えば、図３（ａ）に示すように、上部成形板３の谷部３ａにおいて、複数の孔３ｃをＸ方向に２列に配置することができる。また、例えば、図３（ｂ）に示すように、上部成形板３の谷部３ａにおいて、複数の孔３ｃを、互い違いに（千鳥状に）Ｘ方向に２列に配置することもできる。なお、孔３ｃの配置は、谷部３ａの大きさによって適宜調整される。
【００３２】
また、上部成形板３の形状は、図１及び図２に示したものに限定されない。図４（ａ）及び（ｂ）に、上部成形板３の形状の変形例を示す。図４（ａ）に示す上部成形板３は、谷部３ｄと山部３ｂとを有しており、谷部３ｄ内に孔３ｃが設けられている。上部成形板３の谷部３ｄは、下部成形板２の谷部２ａの凹形状と同様の凹形状を有している。上部成形板３の谷部３ｄと培地Ｂとの間の空間が減ることにより、培地Ｂに含まれる水の蒸散が抑制できる。さらに、上部成形版３の谷部３ｄと培地Ｂの上面とを接触させることにより、培地Ｂに含まれる水の蒸散を抑制できるとともに、培地Ｂを押さえ外力などによる培地Ｂの移動を抑制できる。また、培地Ｂに含まれる水の蒸散を低減する観点から、上部成形板３の谷部３ｄにおける複数の孔３ｃの総面積よりも、当該谷部３ｄの孔３ｃ以外の部分の面積の方が大きいことが好ましい。
【００３３】
また、図４（ｂ）に示す上部成形板３は、平板形状を有しており、平板部３ｅと孔３ｃとを有している。上部成形板３を平板形状とすることにより、上部成形板３の作製が容易となる。また、図４（ｂ）に示すように、培地Ｂを下部成形板２の山部２ｂの上面近くまで、設置することができる。また、培地Ｂに含まれる水の蒸散を低減する観点から、上部成形板３における複数の孔３ｃの総面積よりも、上部成形板３における孔３ｃ以外の部分の面積の方が大きいことが好ましい。また、平板部３ｅにおける山部２ｂと対向する領域以外に、孔３ｃが設けられていることが好ましい。これにより、培地Ｂに設けられる植物Ｐが、上部成形板３の孔３ｃを通って生育することができる。また、上部成形板３における下部成形板２の山部２ｂと対向する領域の強度を向上させることができる。
【００３４】
また、下部成形板２は、谷部２ａと山部２ｂとが交互に複数連設して一体成形されてなる例を示したが、例えば、下部成形板２は、１つの谷部２ａと当該谷部２ａの両端に設けられた２つの山部２ｂとから構成されてもよい。また、１つの谷部２ａと当該谷部２ａの両端に設けられた２つの山部２ｂとから構成される下部成形板２を複数配置して、固定具などで固定し、連設させてもよい。
【００３５】
また、上部成形板３は、谷部３ａ，３ｄと山部３ｂとが交互に複数連設してなる例を示したが、例えば、上部成形板３は、１つの谷部３ａ，３ｄと当該谷部３ａ，３ｄの両端に設けられた２つの山部３ｂとから構成されても良い。また、１つの谷部３ａ，３ｄと当該谷部３ａ，３ｄの両端に設けられた２つの山部３ｂとから構成される上部成形板３を複数配置して、固定具などで固定し、連設させてもよい。
【００３６】
また、平板形状の上部成形板３において、図４（ｂ）では、一枚の平板部３ｅが下部成形板２の複数の谷部２ａを覆う形状を示したが、一枚の平板部３ｅが、下部成形板２の１つの谷部２ａと当該谷部２ａの両端に設けられた２つの山部２ｂとを少なくとも覆う大きさを有するようにしてもよい。
【００３７】
折板屋根１の大きさ等に応じて、それぞれ複数枚からなる下部成形板２及び上部成形板３を固定具４によって繋ぎ合わせてもよい。なお、折板屋根緑化構造が設置される建築物に合わせて、折板屋根１、下部成形板２、及び上部成形板３の山部や谷部の数は適宜変更されうる。
【００３８】
また、培地Ｂには、植物Ｐや種を植えるための孔が設けられていても良い。また、培地Ｂには、排水機構を設けてもよく、例えば、培地Ｂの下部に溝やスノコを設けても良い。また、図１に示すように、培地Ｂの下部に孔５ｃを有する通水管５を設けても良い。さらに、培地Ｂの下に濾過膜を敷くことにより、浄化した水を排水することもできる。
【符号の説明】
【００３９】
１…折板屋根、２…下部成形板、３…上部成形板、１ａ，２ａ，３ａ，３ｄ…谷部、１ｂ，２ｂ，３ｂ…山部、３ｃ…孔、１０…折板屋根緑化構造、Ｂ…培地。
【図１】
2010193853.tif 000003
【図２】
2010193853.tif 000004
【図３】
2010193853.tif 000005
【図４】
2010193853.tif 000006